(57)【要約】  周囲への影響を低減することができる照明装置を提供する。第１照射領域及び第１照射領域とは異なる第２照射領域に光を照射可能な照明装置であって、第１発光素子１１が、第１照射領域を照射する点滅光を発光可能であり、遮光部１２が、第１発光素子１１が発する光の内、第１照射領域以外の領域に向かう光を遮光し、第１光路変換部材１７が、第１発光素子１１から発した光によって、第１発光素子１１の点滅光よりも明暗の強度差が小さいと知覚される光で第２照射領域を照射するように、第１発光素子１１から発した光の光路を変換する。
2013054693.tif 000002
【特許請求の範囲】
【請求項１】
第１発光素子、遮光部及び第１光路変換部材を備え、第１照射領域及び前記第１照射領域とは異なる第２照射領域に光を照射可能な照明装置であって、
前記第１発光素子が、前記第１照射領域を照射する点滅光を発光可能であり、
前記遮光部が、前記第１発光素子が発する光の内、前記第１照射領域以外の領域に向かう光を遮光し、
前記第１光路変換部材が、前記第１発光素子から発した光によって、前記第１発光素子の点滅光よりも明暗の強度差が小さいと知覚される光で前記第２照射領域を照射するように、前記第１発光素子から発した光の光路を変換することを特徴とする照明装置。
【請求項２】
第１発光素子、第２発光素子及び遮光部を備え、第１照射領域及び前記第１照射領域とは異なる第２照射領域に光を照射可能な照明装置であって、
前記第１発光素子が、前記第１照射領域に到達する点滅光を発光可能であり、
前記遮光部が、前記第１発光素子が発する光の内、前記第１照射領域以外の領域に向かう光を遮光し、
前記第２発光素子の発する光の少なくとも一部によって、前記第１発光素子の点滅光よりも明暗の強度差が小さいと知覚される光で前記第２照射領域を照射することを特徴とする照明装置。
【請求項３】
前記第２照射領域を照射する光が、前記第２照射領域にいる人が連続光と知覚する光であることを特徴とする請求項１または２に記載の照明装置。
【請求項４】
入射する光の光路を変換して前記第２照射領域を照射する第１光路変換部材を備え、
前記第１光路変換部材が、前記遮光部に囲まれた内部空間の外側に設けられていることを特徴とする請求項１〜３の何れか１項に記載の照明装置。
【請求項５】
前記第１発光素子が複数備えられ、その全てが暗状態となる全暗期の夫々が、人の知覚可能な時間より短く設定されていることを特徴とする請求項１〜４の何れか１項に記載の照明装置。
【請求項６】
前記第１発光素子が複数備えられ、その内、明状態となる前記第１発光素子の位置と暗状態となる前記第１発光素子の位置で規定される明暗パターンが、時間の経過と共に回転することを特徴とする請求項５に記載の照明装置。
【請求項７】
前記遮光部が、光路が変換されることなく前記第１発光素子から前記第２照射領域へ向かう光を遮光する側方遮光部と、前記側方遮光部の上部を覆う上方遮光部を備えることを特徴とする請求項１〜６の何れか１項に記載の照明装置。
【請求項８】
前記第１発光素子が複数備えられ、その内、明状態となる前記第１発光素子の位置と暗状態となる前記第１発光素子の位置で規定される第１明暗パターンと、前記第１明暗パターンの反転パターンである第２明暗パターンが、時間的に交互に設定されることを特徴とする請求項１〜７の何れか１項に記載の照明装置。
【請求項９】
前記第２発光素子は、連続光を発光することを特徴とする請求項２に記載の照明装置。
【請求項１０】
前記第２発光素子が、可視光を発する蛍光体であることを特徴とする請求項２又は９に記載の照明装置。
【請求項１１】
前記第２発光素子が、第１発光素子が発する光によって励起されて発光する蛍光体であることを特徴とする請求項１０に記載の照明装置。
【請求項１２】
前記第２発光素子は、前記第２照射領域にいる人から見た前記第１発光素子の発光強度に応じて、前記第２照射領域に直接または間接的に照射される光全体での強度が、前記第２照射領域にいる人から見て所定の光強度範囲内となるように発光することを特徴とする請求項２に記載の照明装置。
【請求項１３】
前記第１発光素子の光軸を、前記第１照射領域に向かう方向に曲げる第２光路変換部材を備えることを特徴とする請求項１〜１２の何れか１項に記載の照明装置。
【請求項１４】
前記照明装置は、中心軸を備え、
前記第１照射領域が、前記中心軸の下方を含み、
前記第２照射領域が、前記照明装置の中心軸に対して直交する方向を含むことを特徴とする請求項１〜１３に記載の照明装置。
【請求項１５】
前記第１発光素子の発光の内、前記第１照射領域と外部領域との境界を通過する光の方向を外側境界方向とし、
前記照明装置の中心軸に対する前記外側境界方向の角度が、４５度以上、８５度以下であることを特徴とする請求項１４に記載の照明装置。
【請求項１６】
前記第１発光素子の発光の内、前記第１照射領域と外部領域との境界を通過する光の方向を外側境界方向とし、
前記第１発光素子の発光の内、強度が最大となる光の方向を基準方向とし、
前記外側境界方向に対する前記基準方向の角度が、前記第１照射領域の内側２０度から前記第１照射領域の外側３０度の範囲に設定されていることを特徴とする請求項１〜１５の何れか１項に記載の照明装置。
【請求項１７】
前記第１発光素子は、ピーク波長が５４０ｎｍ以上６２０ｎｍ以下の黄色成分であり、波長４００〜５００ｎｍの青色成分の光を発しないか、もしくは、波長４００〜５００ｎｍの青色成分が昆虫への誘引作用を有しない発光強度の光を発することを特徴とする請求項１〜１６の何れか１項に記載の照明装置。
【請求項１８】
前記点滅光の明期及び暗期が、１０ｍｓ以上１０００ｍｓ以下であることを特徴とする請求項１または２に記載の照明装置。
【請求項１９】
第１発光素子、第２発光素子及び遮光部を備え、第１照射領域及び前記第１照射領域とは異なる第２照射領域に光を発光可能な照明装置であって、
前記第１発光素子は前記第１照射領域を照射する主要光を発光可能であり、
前記第２発光素子は前記第２照射領域を照射する、主要光とは異なるスペクトルを有する補助光を発光可能であり、
前記遮光部は、前記第１発光素子が発する光の内、前記第１照射領域以外の領域に向かう光を遮光し、
前記第２発光素子の発した光が前記第２照射領域に照射され、
前記第２照射領域が、前記照明装置の軸に対して直交する方向を含むことを特徴とする照明装置。
【発明の詳細な説明】
【技術分野】
【０００１】
本発明は、照明装置、例えば、植物の栽培等において防虫を目的とした点滅動作を行う照明装置に関する。
【背景技術】
【０００２】
オオタバコガやハスモンヨトウ等の夜蛾類の幼虫は花きを食害するため、夜蛾類の防除が重要となっている。しかし、夜蛾類の多くは、多種類の殺虫剤に対して薬剤抵抗性を獲得したため、殺虫剤による防除が困難になってきている。夜蛾類に対する防除方法としては、殺虫剤の他、産卵のために圃場に飛来する成虫に対し、成虫の産卵抑制効果がある光を照射する防蛾用黄色照明装置による夜間照明がある。防蛾用黄色照明装置は、特に、カーネーションやバラでは、蛍光灯の光により生育や開花に悪影響がないことから、利用が進んでいる。【０００３】
防蛾用黄色照明装置としては、例えば、ピーク波長５６０ｎｍ〜５８０ｎｍの黄色光を放射する黄色蛍光灯を用いる照明装置（特許文献１参照）や、黄色発光ダイオード（黄色ＬＥＤ）を用いる照明装置（例えば、特許文献２参照）がある。【０００４】
更に、防蛾用黄色照明装置において、防蛾効果を高める技術として、照射光を点滅させる構成が開示されている（例えば、特許文献３参照）。防蛾用黄色照明装置における点滅方法としては、例えば、デューティ比＝明期幅／（明期幅＋暗期幅）＝５０％以下とする構成が記載されている（特許文献４参照）。【０００５】
本発明に関連するその他の背景技術として、特許文献５には、天井等に埋め込み設置して使用されるダウンライト型のＬＥＤ照明装置が記載されている。特許文献６には、複数のＬＥＤ光源と光源回路を備え、光源回路が各ＬＥＤ光源に流れる電流を順次制御することにより、回転駆動機構を必要としない擬似回転警告灯が記載されている。特許文献７には、すり鉢状の凹部を備えるレンズとＬＥＤチップが一体化され、広い配光特性を有するようにした面実装ＬＥＤが記載されている。特許文献８には、１つのＬＥＤモジュールと凹部を備えるレンズを備え、配光範囲を広げたＬＥＤ電球が記載されている。
【先行技術文献】
【特許文献】
【０００６】
【特許文献１】特開２００８−１５４５４１号公報
【特許文献２】特開２００３−２７４８３９号公報
【特許文献３】特開２００３−２８４４８２号公報
【特許文献４】特開２０１０−０６８７５４号公報
【特許文献５】特開２００９−６４６３６号公報
【特許文献６】特開２０１１−００３４４０号公報
【特許文献７】特開２００２−３４４０２７号公報
【特許文献８】特開２０１１−１４２０６０号公報
【発明の概要】
【発明が解決しようとする課題】
【０００７】
上述したように、防蛾用黄色照明装置では、防蛾効果を高めるため、照射光を点滅させることが望ましい。しかしながら、照射光を点滅させた場合、点滅光は、圃場の外部にいる人（近隣住民）の注意を引き刺激する性質がある。このため、照射光を点滅させると、圃場近傍に居住する近隣住民に対して不快感を与える可能性があるという問題があった。【０００８】
更に、点滅光ではない連続光を発する街路灯や農業用の短日植物の開花調整用光源等の照明装置、赤色や青色など特定目的に適したスペクトルを有する照明装置においても、光源の発する光の色やスペクトルが圃場近傍に居住する近隣住民に対して不快感あるいは悪影響を与える可能性があるという問題があった。また、点滅光ではない連続光を発する街路灯等の照明装置においても、光散乱の多い色成分の光を用いる場合、夜空の星が見えにくくなる等、遠方からの視認性が悪化する。このような場合においても、より視認性を改善することが望まれている。【０００９】
本発明は上記の問題に鑑みてなされたものであり、その目的は、点滅等の不快感あるいは悪影響を与える可能性がある照明の周囲への影響を低減することができる照明装置を提供する点にある。
【課題を解決するための手段】
【００１０】
上記目的を達成するための本発明に係る照明装置は、第１発光素子、遮光部及び第１光路変換部材を備え、第１照射領域及び前記第１照射領域とは異なる第２照射領域に光を照射可能な照明装置であって、前記第１発光素子が、前記第１照射領域を照射する点滅光を発光可能であり、前記遮光部が、前記第１発光素子が発する光の内、前記第１照射領域以外の領域に向かう光を遮光し、前記第１光路変換部材が、前記第１発光素子から発した光によって、前記第１発光素子の点滅光よりも明暗の強度差が小さいと知覚される光で前記第２照射領域を照射するように、前記第１発光素子から発した光の光路を変換することを第１の特徴とする。【００１１】
上記目的を達成するための本発明に係る照明装置は、第１発光素子、第２発光素子及び遮光部を備え、第１照射領域及び前記第１照射領域とは異なる第２照射領域に光を照射可能な照明装置であって、前記第１発光素子が、前記第１照射領域に到達する点滅光を発光可能であり、前記遮光部が、前記第１発光素子が発する光の内、前記第１照射領域以外の領域に向かう光を遮光し、前記第２発光素子の発する光の少なくとも一部によって、前記第１発光素子の点滅光よりも明暗の強度差が小さいと知覚される光で前記第２照射領域を照射することを第２の特徴とする。【００１２】
更に好ましくは、上記何れかの特徴の照明装置は、前記第２照射領域を照射する光が、前記第２照射領域にいる人が連続光と知覚する光である。【００１３】
更に好ましくは、上記何れかの特徴の照明装置は、入射する光の光路を変換して前記第２照射領域を照射する第１光路変換部材を備え、前記第１光路変換部材が、前記遮光部に囲まれた内部空間の外側に設けられている。【００１４】
更に好ましくは、上記何れかの特徴の照明装置は、前記第１発光素子が複数備えられ、その全てが暗状態となる全暗期の夫々が、人の知覚可能な時間より短く設定されている。【００１５】
更に好ましくは、上記特徴の照明装置は、前記第１発光素子が複数備えられ、その内、明状態となる前記第１発光素子の位置と暗状態となる前記第１発光素子の位置で規定される明暗パターンが、時間の経過と共に回転する。【００１６】
更に好ましくは、上記何れかの特徴の照明装置は、前記遮光部が、光路が変換されることなく前記第１発光素子から前記第２照射領域へ向かう光を遮光する側方遮光部と、前記側方遮光部の上部を覆う上方遮光部を備える。【００１７】
更に好ましくは、上記何れかの特徴の照明装置は、前記第１発光素子が複数備えられ、その内、明状態となる前記第１発光素子の位置と暗状態となる前記第１発光素子の位置で規定される第１明暗パターンと、前記第１明暗パターンの反転パターンである第２明暗パターンが、時間的に交互に設定される。【００１８】
更に好ましくは、上記何れかの特徴の照明装置は、前記第２発光素子が、連続光を発光する。【００１９】
更に好ましくは、上記第２の特徴の照明装置は、前記第２発光素子が、可視光を発する蛍光体であり、更には、前記第２発光素子が、第１発光素子が発する光によって励起されて発光する蛍光体である。【００２０】
更に好ましくは、上記第２の特徴の照明装置は、前記第２発光素子が、前記第２照射領域にいる人から見た前記第１発光素子の発光強度に応じて、前記第２照射領域に直接または間接的に照射される光全体での強度が、前記第２照射領域にいる人から見て所定の光強度範囲内となるように発光する。【００２１】
更に好ましくは、上記何れかの特徴の照明装置は、前記第１発光素子の光軸を、前記第１照射領域に向かう方向に曲げる第２光路変換部材を備える。【００２２】
更に好ましくは、上記何れかの特徴の照明装置は、中心軸を備え、前記第１照射領域が、前記中心軸の下方を含み、前記第２照射領域が、前記照明装置の中心軸に対して直交する方向を含む。【００２３】
更に好ましくは、上記何れかの特徴の照明装置は、前記第１発光素子の発光の内、前記第１照射領域と外部領域との境界を通過する光の方向を外側境界方向とし、前記照明装置の中心軸に対する前記外側境界方向の角度が、４５度以上、８５度以下である。【００２４】
更に好ましくは、上記何れかの特徴の照明装置は、前記第１発光素子の発光の内、前記第１照射領域と外部領域との境界を通過する光の方向を外側境界方向とし、前記第１発光素子の発光の内、強度が最大となる光の方向を基準方向とし、前記外側境界方向に対する前記基準方向の角度が、前記第１照射領域の内側２０度から前記第１照射領域の外側３０度の範囲に設定されている。【００２５】
更に好ましくは、上記何れかの特徴の照明装置は、前記第１発光素子は、ピーク波長が５４０ｎｍ以上６２０ｎｍ以下の黄色成分であり、波長４００〜５００ｎｍの青色成分の光を発しないか、もしくは、波長４００〜５００ｎｍの青色成分が昆虫への誘引作用を有しない発光強度の光を発する。【００２６】
更に好ましくは、上記第１または第２の特徴の照明装置は、前記点滅光の明期及び暗期が、１０ｍｓ以上１０００ｍｓ以下である。【００２７】
上記目的を達成するための本発明に係る照明装置は、第１発光素子、第２発光素子及び遮光部を備え、第１照射領域及び前記第１照射領域とは異なる第２照射領域に光を発光可能な照明装置であって、前記第１発光素子は前記第１照射領域を照射する主要光を発光可能であり、前記第２発光素子は前記第２照射領域を照射する、主要光とは異なるスペクトルを有する補助光を発光可能であり、前記遮光部は、前記第１発光素子が発する光の内、前記第１照射領域以外の領域に向かう光を遮光し、前記第２発光素子の発した光が前記第２照射領域に照射され、前記第２照射領域が、前記照明装置の軸に対して直交する方向を含むことを第３の特徴とする。
【発明の効果】
【００２８】
上記第１の特徴の照明装置によれば、第１照射領域にのみ主要光である点滅光を照射し、人のいる第２照射領域には、補助光である点滅光よりも明暗の強度差が小さいと知覚される光（例えば連続光）が照射される。このため、第２照射領域の人には、上記特徴の照明装置の光は点滅光よりも明暗の強度差が小さい光として認識されることから、点滅光による防蛾効果を維持した状態で、点滅光による人に対する不快感を軽減できる。また、仮に、点滅光の反射光または散乱光が第２照射領域にいる人に到達したとしても、第２照射領域にいる人は、第２照射領域に到達する点滅光よりも明暗の強度差が小さいと知覚される光（例えば連続光）を主に観察するため、点滅光のみの場合に比べて不快感を軽減できる。【００２９】
上記第２の特徴の照明装置によれば、第１照射領域にのみ主要光である点滅光を照射し、人のいる第２照射領域には、補助光である点滅光よりも明暗の強度差が小さいと知覚される光（例えば連続光）が照射される。このため、第２照射領域にいる人には、上記特徴の照明装置の光は点滅光よりも明暗の強度差が小さい光として認識されることから、点滅光による防蛾効果を維持した状態で、点滅光による不快感を軽減できる。また、仮に、点滅光の反射光または散乱光が人に到達したとしても、第２照射領域にいる人は、第２照射領域に到達する点滅光よりも明暗の強度差が小さいと知覚される光（例えば連続光）を主に観察するため、点滅光のみの場合に比べて不快感を軽減できる。【００３０】
上記第３の特徴の照明装置によれば、第１照射領域にのみ主要光を照射し、人のいる第２照射領域には、補助光が照射される。例えば、主要光に比べて補助光を、遠方にいる人にとって好ましい性質（スペクトル）のものにすることにより、遠方にいる人に対する主要光の影響を低減できる。
【図面の簡単な説明】
【００３１】
【図１】本発明に係る照明装置の第１実施形態における概略構成例を示す概略外観図、概略断面図及び概略下面図である。
【図２】本発明に係る照明装置を構成する第１発光素子のスペクトルを示すグラフである。
【図３】本発明に係る照明装置の第１実施形態における本発光装置と人の位置関係を示す模式図である。
【図４】本発明に係る照明装置の第１実施形態における第１照射領域における部分照射領域の時間変化を示す模式図である。
【図５】本発明に係る照明装置の第１実施形態における明暗の時間変化を示すグラフである。
【図６】本発明に係る照明装置の第２実施形態における概略構成例を示す概略断面図である。
【図７】本発明に係る照明装置の第３実施形態における概略構成例を示す概略断面図である。
【図８】本発明に係る照明装置の第４実施形態における概略構成例を示す概略断面図である。
【図９】本発明に係る照明装置の第５実施形態における概略構成例を示す概略断面図及び下面図である。
【図１０】本発明に係る照明装置において、第１発光素子及び第２発光素子の発光の時間変化を示すグラフである。
【図１１】本発明に係る照明装置の第６実施形態における概略構成例を示す概略斜視図及び概略下面図（窓部、光散乱部材を除いた内部空間内構成）である。
【図１２】本発明に係る照明装置の第６実施形態における第１照射領域における部分照射領域の時間変化を示す模式図である。
【図１３】本発明に係る照明装置の別実施形態における第１発光素子の配置を示す概略断面図である。
【図１４】本発明に係る照明装置の別実施形態における明暗パターンの時間変化を示すグラフである。
【図１５】本発明に係る照明装置の別実施形態における窓部の構成を示す概略部分断面図である。
【図１６】本発明に係る照明装置の第８実施形態における概略構成例を示す概略断面図及び下面図である。
【図１７】本発明に係る照明装置の第９実施形態における概略構成例を示す概略断面図及び下面図である。
【図１８】本発明に係る照明装置の第１０実施形態における概略構成例を示す概略断面図及び下面図である。
【発明を実施するための形態】
【００３２】
以下、本発明に係る照明装置の実施形態を図面に基づいて説明する。
【００３３】
〈第１実施形態〉
本発明に係る照明装置の第１実施形態について、図１〜図５を基に説明する。尚、本実施形態では、照明装置１Ａとして、花きを食害する夜蛾類等の防虫を目的とした防蛾用照明装置を想定している。
【００３４】
先ず、照明装置１Ａの構成について、図１〜図３を基に説明する。
【００３５】
尚、図１では、説明のため、照明装置１Ａが軸対称の形状であり、照明装置１Ａの中心軸αの方向にＸ軸を設定し、それに直交する方向にＹ軸及びＺ軸を設定している。Ｙ軸及びＺ軸は直交する。ここでは、説明のため、中心軸αを重力の方向として説明するが、これに限られるものではない。また、照明装置１Ａの形状は、必ずしも軸対称の形状でなくても良い。図１（ａ）は、照明装置１Ａの外観を示す概略外観図であり、図１（ｂ）は、照明装置１Ａの中心軸αを含む断面を示す概略断面図であり、図１（ｃ）は、照明装置１Ａの中心軸αの下方向から見た概略下面図である。
【００３６】
照明装置１Ａは、複数の第１発光素子１１としてのＬＥＤを備え、中心軸αを下に延長した部分を含む第１照射領域に点滅光である主要光を照射可能であり、第１照射領域とは異なり照明装置１Ａから中心軸αに直交する方向を含む第２照射領域に、人が連続光と認識可能な補助光を照射可能に構成されている。
【００３７】
より具体的には、照明装置１Ａは、図１に示すように、ＬＥＤ電球型の照明装置であり、プラグ３、外壁部材２、外壁部材２内に配置される駆動回路４、点滅光を照射可能な複数の第１発光素子１１と、第１発光素子１１が発する光の内、照明装置１Ａから第１光路変換部材を介することなく第２照射領域に直接向かう点滅光を遮光する遮光部１２、及び、第１発光素子１１が発する光の一部の光路を変換する第１光路変換部材である光散乱部１７を備え、第１発光素子１１から光散乱部１７を介して第２照射領域にいる人が連続光と知覚する補助光を第２照射領域に照射するように構成されている。尚、遮光部１２は、照明装置１Ａから第１照射領域以外の領域に直接向かう光を遮光の対象とし、植物等に当たって反射する光については、遮光の対象外である。
【００３８】
本実施形態において、第１照射領域は、使用時（この場合は設置時と同じ）において、防虫の対象領域、例えば、カーネーションやバラ等の栽培領域に設定されている。尚、ここでは、１つの栽培領域に対して複数の照明装置１Ａを用いる場合を想定しており、栽培領域の全域が、照明装置１Ａの何れかの第１照射領域となるように、第１照射領域を設定する。
【００３９】
また、第２照射領域は、発光装置の中心軸に直交する方向を含んで設定されており、通常の照明装置１Ａの使用時において、近隣住民等の人がいる方向である。
【００４０】
プラグ３は、商用交流電源（ＡＣ１００Ｖ〜２３０Ｖ、５０Ｈｚ又は６０Ｈｚ）に接続され、駆動回路４に電源を供給する。尚、プラグ３は、直流電源或いはパルス電源に接続可能な構成であっても良く、この場合には、駆動回路４中の電源回路４ｂを設けない構成にしても良い。
【００４１】
外壁部材２は、図１（ａ）に示すように、中心軸αに対し軸対称となるように下に広がった筒状部材で構成されており、当該筒状部材は、第１発光素子１１が発する熱を放散する機能を備える材料で構成されている。筒状部材の上端部にプラグ３が、筒状部材の中心部分の内部空間に駆動回路４が設けられている。また、上記外壁部材２を構成する筒状部材の下端部の外形寸法Ｌは例えば５８ｍｍである。尚、外壁部材２の形状は、筒状ではなく、角柱や錘台の側面であっても良いし、他の形状であっても良い。以下、本実施形態では、使用時において、照明装置１Ａを中心軸αが垂直方向（重力の方向）に平行となるように設置する場合を想定して説明するが、中心軸αは必ずしも垂直方向に平行とならなくても良いし、使用時と非使用時で設置位置や角度が異なっていても良い。
【００４２】
駆動回路４は、第１発光素子１１の点滅動作を制御する点滅回路４ａと、第１発光素子１１に所定の電源を供給する電源回路４ｂを備えて構成されている。尚、点滅回路４ａや電源回路４ｂは、必ずしも駆動回路４と同一の基板上に構成されている必要はなく、夫々異なる基板上に構成されていても良いし、点滅回路４ａや駆動回路４の一部のみが外壁部材２の内側に設けられる構成であっても良い。
【００４３】
主要光を第１照射領域に照射するため、本実施形態では、８個の第１発光素子１１ａ〜１１ｈと、第１発光素子１１を搭載するプリント基板１５と、遮光部１２を備えて構成されている。
【００４４】
より具体的には、遮光部１２は、図１（ｂ）に示すように、円錐台の側面からなる側方遮光部１３と、円錐台の頂面からなる上方遮光部１４を備えている。側方遮光部１３は、第１発光素子１１から発した点滅光が、照明装置１Ａから遠方にいる人に直接届かないように照射方向を制限するもので、主要光（点滅光）が、少なくとも中心軸αに直交する方向に放射されないよう遮光する働きを有する。遮光部１２の内側は、鏡面或いは白い反射面になっている。尚、不要な反射光及び散乱光を低減するため、一部あるいは全部を黒色面等、反射光及び散乱光を生じさせない構成にしてもよい。更に、遮光部１２は、遮光部１２の中心軸が外壁部材２の中心軸αと重なり、上方遮光部１４が前記駆動回路４側に位置し、遮光部１２の開口部が前記駆動回路４側とは反対側に位置するように、遮光部３２が外壁部材２の開口部に接して設置されている。
【００４５】
プリント基板１５は、フレキシブル基板であり、遮光部１２に囲まれた円錐台状の内部空間であって、側方遮光部１３の縁に沿って、側方遮光部１３に設けられている。
【００４６】
第１発光素子１１は、フレキシブル基板上に、環状に等間隔に配置されている。
【００４７】
また、第１発光素子１１は、本実施形態では、放熱性が良好で高輝度を必要とする照明に適した表面実装型ＬＥＤであって、青色ＬＥＤ素子と黄色蛍光体を用いて構成されており、色座標（０．４２，０．４８）の光を発する。ここで、図２は、本実施形態における第１発光素子１１のスペクトルを示している。図２に示すように、第１発光素子１１のピーク波長は５６５ｎｍに設定されている。また、蛾などの昆虫を誘引する波長４００〜５００ｎｍの青色成分が少なくなっている。更に、蛾などの昆虫が忌避する、または、行動（交尾）が抑制される波長５６５ｎｍ〜５９０ｎｍの黄色成分が多い構成となっており、高い防蛾効果を得ることが可能である。なお、青色成分が少ないとは、昆虫の誘引作用が無視できる程度に青色成分の発光強度が小さいという意味である。
【００４８】
尚、本実施形態では、ピーク波長が５６５ｎｍに設定されている場合について説明したが、ピーク波長は、５４０ｎｍ以上６２０ｎｍ以下であることが好ましく、５６５ｎｍ以上５９０ｎｍ以下であれば更に好ましい。また、黄色ＬＥＤではなく、通常の白色ＬＥＤや電球色ＬＥＤと、虫を誘引する青色成分が透過しない或いは透過し難いフィルタを用いて防蛾効果のある色の光が第１照射領域に照射されるようにしても良い。尚、電球色ＬＥＤは青色成分が少ないことから、フィルタを必ずしも必要としない。
【００４９】
また、ここでは表面実装型ＬＥＤを用いる場合について説明するが、放射角の半値幅が狭く光の指向性の強い砲弾型ＬＥＤを用いても良い。砲弾型ＬＥＤでは、指向性が強いことから、特定の領域を照明し易くなり、発光装置の光学設計が容易になる。
【００５０】
図３は、照明装置１Ａを設置した状態、即ち、外壁部材２の中心軸αを垂直方向Ｘと平行にした場合における照明装置１Ａと部分照射領域ＡＳ１１，ＡＳ１５及び遠方にいる人Ｈとの位置関係について示している。尚、部分照射領域ＡＳ１１は第１発光素子１１ａの発した光が光散乱部１４を介さずに直接照射する領域を、部分照射領域ＡＳ１５は第１発光素子１１ｅを発した光が光散乱部１４を介さずに直接照射する領域を夫々示している。図３に示すように、照明装置１Ａは、その中心軸αが垂直方向Ｘと平行、且つ、第１光路変換部材である光散乱部１４で散乱した光が遠方にいる人Ｈから視認されるように設置されている。
【００５１】
以下、説明のため、第１発光素子１１ａについて説明するが、他の第１発光素子１１ｂ〜１１ｈも同じ構成である。図３において、第１発光素子１１の照射光の内、第１照射領域と外部領域との境界を通過する光の方向を外側境界方向β、第１の発光素子１１の光軸（この場合は強度が最大となる方向）を基準方向γとし、中心軸αと外側境界方向βの角度をθ１、中心軸αと基準方向γの角度をθ２としている。
【００５２】
θ１は、照明装置１Ａの中心軸αに対してほぼ直交する位置にいる遠方の人Ｈが第１発光素子１１の発した主要光を直接視認できない角度であって、第１照射領域の大きさを確保できる角度に設定する。第１照射領域の大きさを確保するためには、４５度以上に設定することが好ましい。従って、θ１は、４５度以上８５度以下に設定することが好ましい。尚、θ１は、６０度以上８０度以下とすれば更に好ましい。本実施形態では、θ１を７５度に設定している。尚、θ１の設定角度は、本実施形態の設置角度や、第１発光素子１１の光成分（散乱光の大小等）に応じて適宜設定する。
【００５３】
また、本実施形態では、外側境界方向βに対する基準方向γの角度（θ２−θ１）が、第１照射領域の内側２０度から第１照射領域の外側３０度（−２０度〜＋３０度）の範囲に設定しており、具体的には、θ２−θ１＝−５度、θ２＝７０度に設定している。尚、（θ２−θ１）は、−１０度〜＋１５度とすれば、更に好ましい。このようにθ１及びθ２を設定することにより、使用時における照明装置１Ａの直下領域に照射する光の強度をおさえると共に、第１照射領域と外側領域との境界近傍に照射される光の強度を大きくすることができる。これにより、第１照射領域に夜蛾類が進入するのを効果的に抑制できる。図３に示すように、使用時における照明装置１Ａの直下領域（ＡＳ１１とＡＳ１５の重複領域）には、２つの第１発光素子１１からの主要光が照射され、直下領域以外の領域では、１つの第１発光素子１１からの主要光のみが照射されることになる。このため、第１照射領域の外側領域に近い領域に照射される光の強度を大きくすることにより、第１照射領域における照射光の強度のムラを低減することができる。尚、角度（θ２−θ１）の設定値は、照明装置１Ａの設置角度や、第１発光素子１１の光成分（散乱光の大小等）に応じて適宜設定する。
【００５４】
人Ｈからは、遮光部１２により第１発光素子１１の光が遮られて直接視認することはできないが、地面や植物で反射した光は視認できる場合がある。照明装置１Ａでは、第１光路変換部材である光散乱部を設けたことにより、第２照射領域にいる人Ｈは、光散乱部からの補助光に、より注意を引きつけられるので、地面や植物で反射した光の影響が軽減される。
【００５５】
本実施形態では、補助光として、第１発光素子１１の発する光の一部を第２照射領域の方向に向かわせる第１光路変換部材である光散乱部材１７を備えて構成されており、遮光部１２の内部空間の底面を覆う平板の透明部材で構成された窓部１６の中心、遮光部１２に囲まれた円錐台状の内部空間の外側（下側）に光散乱部材１７が設置されている。窓部１６により遮光部１２は密閉され、第１発光素子１１を雨等から保護する。尚、本実施形態では、窓部１６を設け、窓部１６の中心に光散乱部材１７を設ける構成としたが、これに限られるものではない。窓部１６は必ずしも備える必要はなく、光散乱部材１７は、内部空間の外側に設けられていれば良く、窓部１６以外の場所に設けられていても良い。
【００５６】
より詳細には、光散乱部材１７は、光散乱部材１７に入射する光の方向を、中心軸αに対する角度が８５度〜９０度の範囲となる光が含まれるように散乱する。光散乱部材１７は、透明樹脂、ガラスの表面を粗面化したもの、シリコン系樹脂やフッ素系樹脂等の白色樹脂、白色スポンジ、または、アルミナ等の白色セラミックで構成されている。また、光散乱部材１７は、全ての第１発光素子１１ａ〜１１ｈから等距離となる位置に配置されている。このため、後述する図３に示す人Ｈからみると、光散乱部から発する光の強度は、どの第１発光素子１１ａ〜１１ｈが点灯してもほぼ同じである。
【００５７】
次に、照明装置１Ａにおける光の照射動作について、図４及び図５を基に説明する。
【００５８】
尚、以下において、暗状態は、必ずしも第１発光素子１１が光を発していない消灯状態である必要はなく、明状態における光の強度と暗状態における光の強度に強度差があれば良い。
【００５９】
本実施形態では、駆動回路４の点滅回路４ａが、複数の第１発光素子１１の内、明状態となる第１発光素子１１の位置と暗状態となる第１発光素子１１の位置で規定される明暗パターンが、時間の経過と共に回転するように駆動制御を行う（疑似回転光による照明）。
【００６０】
より具体的には、図４及び図５に示すように、対称な位置にある２つの第１発光素子１１が明状態に、他の第１発光素子１１が暗状態となる明暗パターンが、図１（ｃ）における時計回りに回転する。尚、移動させる方向は、逆方向であっても良い。ここで、対称な位置にある２つの第１発光素子１１を同時に明状態にすることにより、光散乱部材１７における影の影響を抑え、第１照射領域から反射・散乱される光のちらつきを更に抑えることが可能になる。
【００６１】
更に、図５では、明暗パターンの時間変化を切り替える間隔Ｔｂは夫々２０ｍｓに設定している。本実施形態では、８個の第１発光素子１１備えることから、各第１発光素子１１は、８０ｍｓ毎に明状態になる（点滅周期が８０ｍｓとなる）。尚、期間Ｔｂは、防蛾効果の観点から、本実施形態では、２ｍｓ以上４０００ｍｓ以下としているが、８ｍｓ以上２０００ｍｓ以下であればより好ましく、１５ｍｓ以上１０００ｍｓ以下にすれば更に好ましく、３０ｍｓ以上２００ｍｓとするのが最も好ましい。
【００６２】
時刻Ｔ１〜Ｔ２では、図５に示すように、第１発光素子１１ａと第１発光素子１１ｅが明状態となり、図４に示すように、部分照射領域ＡＳ１１とＡＳ１５に対し、点滅光が照射される。時刻Ｔ２〜Ｔ３では、第１発光素子１１ｂと第１発光素子１１ｆが明状態となり、部分照射領域ＡＳ１２とＡＳ１６に対し、点滅光が照射される。同様にして、時刻Ｔ３〜Ｔ４では、第１発光素子１１ｃと第１発光素子１１ｇが明状態となり、部分照射領域ＡＳ１３とＡＳ１７に対し、点滅光が照射される。時刻Ｔ４〜Ｔ５では、第１発光素子１１ｄと第１発光素子１１ｈが明状態となり、部分照射領域ＡＳ１４とＡＳ１８に対し、点滅光が照射される。このように構成することにより、第１照射領域上では、部分照射領域が時計回りに回転しているように見えることとなる。
【００６３】
尚、上述したように、本実施形態では、使用状態において、第１発光素子１１の何れか１つが必ず明状態となっており、第１発光素子１１の全てが暗状態となる全暗期が無い構成（全暗期が０の構成）となっている。本実施形態では、第１発光素子１１の一部の光を散乱部材により散乱させて補助光としていることから、光散乱部材１７が常に光る構成となっており、図３に示す人Ｈは光散乱部材１７からの光を連続光あるいは各第１発光素子１１の点滅光よりも明暗の強度差の小さい光として知覚できる。尚、全暗期は、０で無くても、人の知覚可能な時間より短く設定すれば、人Ｈは連続光として知覚できる。ここで、通常の人は、全暗期が１０ｍｓ以下であれば連続光として知覚でき、相当敏感な人の場合でも、全暗期が５ｍｓ以下であれば連続光として知覚できることから、明暗パターンを切り替える際に、５ｍｓ以下の全暗期が生じていても良い。
【００６４】
次に、圃場全体での照明装置１Ａの設置状態及び光の照射状態について説明する。本実施形態では、圃場に複数の照明装置１Ａを設置することを想定している。
【００６５】
圃場全体が照明装置１Ａの何れかの第１照射領域となるように、且つ、第１照射領域の重複領域では光が照射される時間が長くなり点滅効果が低減する可能性が生じることから、照明装置１Ａ夫々の第１照射領域ができるだけ重複しないように、照明装置１Ａの配置を設定する。但し、第１照射領域が重複する場合において、第１照射領域の重複領域を照射する第１発光素子の状態（明状態または暗状態）が、２つの照明装置１Ａで同じになるように構成すれば、第１照射領域が重複していても点滅効果が低減しないと考えられる。
【００６６】
具体的には、植物の高さが１ｍの場合、植物の先端で照度が１〜１０１ｘ、対応する光エネルギ密度が２〜２０ｍＷ／ｍ２となるように、高さを１．８ｍとし、２つの照明装置１Ａの間隔を６ｍに設定している。１８ｍ×１８ｍの圃場の場合、３×３＝９個の照明装置１Ａを設ける。
【００６７】
なお、光散乱部材１７からの光は連続光に限られず、各第１発光素子１１の点滅光よりも人間が知覚する明暗の強度差が小さい光であればよい。
【００６８】
〈第２実施形態〉
本発明に係る照明装置の第２実施形態について、図６を基に説明する。尚、本実施形態では、上記第１実施形態と同様に、防蛾用照明装置を想定している。
【００６９】
ここで、本実施形態では、上記第１実施形態の照明装置１Ａに対し、第１発光素子２１が発する光の内、第１照射領域以外の方向に向かう光の方向を、第１照射領域に向かう方向に曲げる第２光路変換部材であるプリズム２６を備える場合について説明する。
【００７０】
尚、図６では、説明のため、図１と同様に、発光装置１Ｂの中心軸αの方向にＸ軸を設定し、それに直交するようにＹ軸及びＺ軸を設定している。図６は、本実施形態における照明装置１Ｂの中心軸αを含む断面を示している。尚、上記第１実施形態と同様に、中心軸αの方向は、重力方向であるとして説明するが、これに限るものではない。
【００７１】
照明装置１Ｂは、図６に示すように、複数の第１発光素子２１を備え、中心軸αを下に延長した部分を含む第１照射領域に主要光を照射可能であり、照明装置１Ｂから中心軸αに直交する方向を含む第２照射領域に第１光路変換部材である光散乱部材１７を介して補助光を照射可能に構成されたＬＥＤ電球型の照明装置であり、プラグ３、外壁部材２、駆動回路４を備えて構成されている。尚、プラグ３、外壁部材２、駆動回路４の構成は、上記第１実施形態と同じである。また、第１照射領域及び第２照射領域の設定についても、上記第１実施形態と同じである。
【００７２】
主要光を第１照射領域に照射するため、本実施形態では、８個の第１発光素子２１ａ〜２１ｈと、第１発光素子２１を搭載するプリント基板２５と、第１発光素子２１の夫々に対応して設けられたプリズム２５と、遮光部２２を備えて構成されている。尚、本実施形態では、第１発光素子２１は、第１実施形態における発光動作を行う。
【００７３】
より具体的には、遮光部２２は、図６に示すように、内部空間に面する側の内周面において、円柱の側面からなる側方遮光部２３と、円柱の頂面からなる上方遮光部２４を備えている。本実施形態では、遮光部２２の内側は、反射光及び散乱光を生じさせない構成となっている。尚、上方遮光部２４の内側は、反射光及び散乱光を生じさせる構成であっても良い。更に、遮光部２２は、遮光部２２の中心軸が外壁部材２の中心軸αと重なり、上方遮光部２４が前記駆動回路４側に位置し、遮光部２２の開口部が前記駆動回路４側とは反対側に位置するように、遮光部２２が外壁部材２の開口部に接して設置されている。
【００７４】
プリント基板２５は、フレキシブル基板であり、遮光部２２に囲まれた円柱状の内部空間における側方遮光部２３の縁に沿って設けられている。
【００７５】
第１発光素子２１は、上記第１実施形態と同様に、図２に示すスペクトルの光を発する表面実装型ＬＥＤであり、フレキシブル基板２５上に、環状に等間隔に配置されている。
【００７６】
更に、第２光路変換部材であるプリズム２６が第１発光素子２１の近傍に設けられており、第１発光素子２１が発した光が対応するプリズム２６により第１照射領域内に向かうように、プリズム２６の設置位置及び設置角度が設定されている。本実施形態では、図６に示すように、プリズム２６に到達した後の光の光軸εと中心軸αの角度θ３が、例えば、７０度となるように設定されている。尚、θ３の角度は、人が第１発光素子２１を視認できず第１照射領域の大きさを確保することができる４５度以上８５度以下に設定されている。
【００７７】
尚、プリズム２６は、本実施形態では、第１発光素子２１毎に個別に設けられている場合について説明したが、これに限るものではない。例えば、全ての第１発光素子２１に共通に、１つのドーナツ状のプリズム２６を設けても良い。また、プリズム２６は、本実施形態では遮光部２２に支持されるように設けたが、窓部１６に設置しても良い。
【００７８】
補助光を第２照射領域に照射するため、発光装置１Ｂは、上記第１実施形態と同様に、第１発光素子２１の発する光の一部を第２照射領域の方向に散乱させる光散乱部材１７を備えて構成されている。第１光路変換部材である光散乱部材１７は、遮光部１２の内部空間の底面を覆う平板の透明部材で構成された窓部１６の中心、遮光部１２に囲まれた円錐台状の内部空間の外側（下側）に設置されている。窓部１６により遮光部２２は密閉され、第１発光素子２１を雨等から保護する。尚、本実施形態では、窓部１６を設け、窓部１６の中心に光散乱部材１７を設ける構成としたが、これに限られるものではない。窓部１６は必ずしも備える必要はなく、光散乱部材１７は、内部空間の外側に設けられていれば良く、窓部１６以外の場所に設けられていても良い。
【００７９】
更に、第１発光素子２１は、本実施形態では、主に第１発光素子の設置面に対して垂直方向に光を照射する上面出射型の発光素子を想定しているが、主に第１発光素子の設置面の方向に光を照射するサイド発光型の発光素子を用いてもよい。尚、サイド発光型の発光素子を用いる場合は、第１発光素子２１を、側方遮光部２３ではなく、後述する第３実施形態のように、上方遮光部２４に設置することができる。
【００８０】
〈第３実施形態〉
本発明に係る照明装置の第３実施形態について、図７を基に説明する。尚、本実施形態では、上記第１及び第２実施形態と同様に、防蛾用照明装置を想定している。
【００８１】
ここで、本実施形態では、上記第１実施形態の照明装置１Ａに対し、第１発光素子３１が、側方遮光部３３ではなく、上方遮光部３４に設けられている場合について説明する。
【００８２】
尚、図７では、説明のため、図１と同様に、照明装置１Ｃの中心軸αの方向にＸ軸を設定し、それに直交する方向にＹ軸及びＺ軸を設定している。図７は、本実施形態における照明装置１Ｃの中心軸αを含む断面を示している。尚、上記第１実施形態と同様に、中心軸αの方向は、重力方向であるとして説明するが、これに限るものではない。
【００８３】
照明装置１Ｃは、図７に示すように、複数の第１発光素子３１を備え、中心軸αの下方を含む第１照射領域に主要光を、及び中心軸αに直交する方向を含む第２照射領域に補助光を照射可能に構成されたＬＥＤ電球型の照明装置であり、プラグ３、外壁部材２、駆動回路４、第１光路変換部材である光散乱部３８を備えて構成されている。尚、プラグ３、外壁部材２及び駆動回路４の構成は、上記第１及び第２実施形態と同じである。また、第１照射領域及び第２照射領域の設定についても、上記第１実施形態と同じである。
【００８４】
主要光を第１照射領域に照射するため、本実施形態では、８個の第１発光素子３１ａ〜３１ｈと、第１発光素子３１を搭載するプリント基板３５と、遮光部３２を備えて構成されている。尚、本実施形態では、第１発光素子３１ａ〜３１ｈは、第１実施形態における照射動作を行う。
【００８５】
より具体的には、遮光部３２は、図７に示すように、第１発光素子が収納された内部空間に面する内周面が、円柱の側面からなり、外周面が円錐台形状である側方遮光部３３と、円柱の頂面からなる上方遮光部３４を備えている。遮光部３２の内側は、白い反射面になっている。尚、不要な反射光及び散乱光を低減するため、一部あるいは全部を黒色面等、反射光及び散乱光を生じさせない構成にしてもよい。更に、遮光部３２は、遮光部３２の中心軸が外壁部材２の中心軸αと重なり、上方遮光部３４が前記駆動回路４側に位置し、遮光部３２の開口部が前記駆動回路４側とは反対側に位置するように、遮光部３２が外壁部材２の開口部に接して設置されている。
【００８６】
プリント基板３５は、円形の平板状の基板であり、遮光部３２に囲まれた円柱状の内部空間内であって、上方遮光部３４に設けられている。
【００８７】
第１発光素子３１は、図２に示すスペクトルの光を発する表面実装型ＬＥＤであり、円形のプリント基板３５上に、環状に等間隔に配置されている。
【００８８】
第１発光素子３１の夫々は、本実施形態では、中央部分が外周部分に比べて凹んだ形状のレンズ３６を備えて構成されている。ここで、本実施形態では、第１発光素子３１が上方遮光部３４に設置されたプリント基板３５上に設置される。第１発光素子３１の中心軸方向δは、照明装置１Ｃの中心軸αと平行になっている。また、第１発光素子３１は、強度が最大となる光の方向γが、中心軸方向δに対し約６５度傾いている（θ４＝６５度）。このように構成することにより、平板状のプリント基板３５に第１発光素子３１を設置した場合であっても、第１照射領域の外側領域に近い領域に照射される光の強度を大きくすることができ、第１照射領域における照射光の強度のムラを低減できる。
【００８９】
また、第１実施形態と同様に、第１発光素子３１からの光の内、第１照射領域と外部領域との境界を通過する光の方向を外側境界方向β、中心軸αと外側境界方向βの角度をθ１とした場合に、θ１は７５度に設定している。
【００９０】
補助光を第２照射領域に照射するため、本実施形態では、第１発光素子３１の発する光の一部を第２照射領域の方向に散乱させる第１光路変換部材である光散乱部材３８を備えて構成されており、遮光部３２の内部空間の底面を覆う透明部材で構成された窓部３７の中心に光散乱部材３８が一体に形成されている。窓部３７により遮光部３２は密閉され、第１発光素子を雨等から保護する。尚、本実施形態では、窓部３７を設け、窓部３７の中心に光散乱部材３８を一体に設ける構成としたが、これに限られるものではない。窓部３７は必ずしも備える必要はなく、光散乱部材３８を独立して設けても良い。
【００９１】
本実施形態の窓部３７は、図７に示すように、中央部が外側に湾曲した形状となっており、それにより、光散乱部材３８は、遮光部３２の内部空間の外側に、窓部３７と一体に形成されている。
【００９２】
尚、本実施形態では、説明のため、第１発光素子３１の中心軸方向δが中心軸αと平行となっているが、２０度以下の傾きを設けるように構成しても良い。この場合には、第１発光素子３１からの光の角度調節を補助できる。尚、中心軸方向δが中心軸αに対し１０度以下の傾きを持つように構成しても良い。
【００９３】
〈第４実施形態〉
本発明に係る照明装置の第４実施形態について、図８を基に説明する。尚、本実施形態では、上記第１及び第２実施形態と同様に、防蛾用照明装置を想定している。
【００９４】
ここで、本実施形態では、上記第３実施形態の照明装置１Ｃに対し、レンズ３６を備えない第１発光素子４１を用いる場合について説明する。
【００９５】
尚、図８では、説明のため、図１と同様に、照明装置１Ｄの中心軸αの方向にＸ軸を設定し、それに直交する方向にＹ軸及びＺ軸を設定している。図８は、本実施形態における照明装置１Ｄの中心軸αを含む断面図を示している。尚、上記第１実施形態と同様に、中心軸αの方向は、重力方向であるとして説明するが、これに限るものではない。
【００９６】
照明装置１Ｄは、図８に示すように、複数の第１発光素子４１を備え、第１照射領域に主要光を、第２照射領域に補助光を照射可能に構成されたＬＥＤ電球型の照明装置であり、プラグ３、外壁部材２、駆動回路４、第１光路変換部材である光散乱部１７を備えて構成されている。尚、プラグ３、外壁部材２、駆動回路４の構成は、上記第１及び第２実施形態と同じである。また、第１照射領域及び第２照射領域の設定についても、上記第１実施形態と同じである。
【００９７】
主要光を第１照射領域に照射するため、本実施形態では、複数の第１発光素子４１として、８個の第１発光素子４１ａ〜４１ｈと、第１発光素子４１を搭載するプリント基板４５と、遮光部４２を備えて構成されている。尚、本実施形態では、第１発光素子４１ａ〜４１ｈは、第１実施形態における照射動作を行う。
【００９８】
より具体的には、本実施形態のプリント基板４５は、中心部に穴があいた平板状のプリント基板であり、外周形状が円柱状である遮光部４２に囲まれた円錐台状の内部空間内であって、上方遮光部４４に設けられている。
【００９９】
第１発光素子４１は、図２に示すスペクトルの光を発する表面実装型ＬＥＤであり、円形のプリント基板４５上に、環状に等間隔に配置されている。
【０１００】
遮光部４２は、図８に示すように、内部が円錘台の側面からなり外部が円柱状の側面からなる側方遮光部４３と、円錘台状の内部の頂面からなる上方遮光部４４を備えている。ここで、本実施形態では、内部空間の断面形状は中心軸αの上方に行くにつれて面積が広くなる円形であって、その最も面積の広くなる頂面を上方遮光部４４としている。遮光部４２の内側は、白い反射面になっている。尚、不要な反射光及び散乱光を低減するため、一部を黒色面等、反射光及び散乱光を生じさせない構成にしてもよい。更に、遮光部４２は、遮光部４２の中心軸が外壁部材２の中心軸αと重なり、上方遮光部４４が前記駆動回路４側に位置し、遮光部４２の開口部が前記駆動回路４側とは反対側に位置するように、遮光部４２が外壁部材２の開口部に接して設置されている。
【０１０１】
ここで、図８では、側方遮光部４３により反射された後における第１発光素子４１の光の方向と中心軸αの角度をθ５としており、当該θ５の角度が４５度以上８５度以下となるように設定している。
【０１０２】
補助光を第２照射領域に照射するため、上記第１実施形態と同様に、第１発光素子４１の発する光の一部を第２照射領域の方向に散乱させる第１光路変換部材である光散乱部材１７を備えて構成されており、遮光部４２の内部空間の底面を覆う透明部材で構成された窓部１６の中心に光散乱部材１７が一体に形成されている。窓部１６により遮光部４２で囲まれた内部空間は密閉され、第１発光素子を雨等から保護する。尚、本実施形態では、窓部１６を設け、窓部１６の中心に光散乱部材１７を一体に設ける構成としたが、これに限られるものではない。窓部１６は必ずしも備える必要はなく、光散乱部材１７を独立して設けても良い。
【０１０３】
また、本実施形態では、第１発光素子４１からの光を側方遮光部４３により反射させてその光軸方向の調整を行うので、レンズ３６等の部材を必要としない。
【０１０４】
〈第５実施形態〉
本発明に係る照明装置の第５実施形態について、図９を基に説明する。尚、本実施形態では、上記第１実施形態と同様に、防蛾用照明装置を想定している。
【０１０５】
ここで、本実施形態では、上記第１実施形態の照明装置１Ａに対し、補助光を照射する第２発光素子を備えて構成される場合について説明する。
【０１０６】
尚、図９では、説明のため、図１と同様に、照明装置１Ｅの中心軸αの方向にＸ軸を設定し、それに直交する方向にＹ軸及びＺ軸を設定している。図９（ａ）は、本実施形態における照明装置１Ｅの中心軸αを含む断面図を、図９（ｂ）は、照明装置１Ｅの中心軸αの下方向から見た下面図を示している。ただし、図９（ｂ）においては、第１光路変換部材である光反射部材５９及び窓部５８の記載を省略している。尚、上記第１実施形態と同様に、中心軸αの方向は、重力方向であるとして説明するが、これに限るものではない。
【０１０７】
照明装置１Ｅは、図９に示すように、複数の第１発光素子５１を備え、第１照射領域に主要光を、及び第２照射領域に補助光を照射可能に構成されたＬＥＤ電球型の照明装置であり、プラグ３、外壁部材２、駆動回路４を備えて構成されている。尚、プラグ３、外壁部材２、駆動回路４の構成は、上記第１実施形態と同じである。また、第１照射領域及び第２照射領域の設定についても、上記第１実施形態と同じである。
【０１０８】
主要光を第１照射領域に照射するため、本実施形態では、８個の第１発光素子５１ａ〜５１ｈと、第１発光素子５１を搭載するプリント基板５５と、遮光部５２を備えて構成されている。遮光部５２の内部空間の底面を覆う窓部５８により遮光部５２は密閉され、第１発光素子を雨等から保護する。
【０１０９】
より具体的には、遮光部５２は、図９（ｂ）に示すように、円錐台の側面からなる側方遮光部５３と、円錐台の頂面からなる上方遮光部５４を備えている。側方遮光部５３は、第１発光素子５１から発した主要光である点滅光が照明装置１Ｅから中心軸αに直交する方向に放射されないよう遮光する働きを有する。
【０１１０】
補助光を第２照射領域に照射するため、本実施形態では、補助光を照射する１つの第２発光素子５６と、レンズ５７と、第２発光素子５６の発する光の一部を第２照射領域の方向に反射させる第１光路変換部材である光反射部材５９を備えて構成されている。遮光部５２の内部空間の底面を覆う窓部５８により遮光部５２は密閉され、第１発光素子・第２発光素子等を雨等から保護する。尚、本実施形態では、窓部５８を設け、窓部５８の中心に光反射部材５９を設ける構成としたが、これに限られるものではない。窓部５８は必ずしも備える必要はなく、光反射部材５９は、内部空間の外側に設けられていれば良く、窓部５８以外の場所に設けられていても良い。
【０１１１】
より詳細には、第２発光素子５６は、上方遮光部５４の中心に、プリント基板５５を介して設置されており、第２発光素子５６が発する光を光反射部材５９に向けた平行に近いビームとするレンズ５７を備えている。また、本実施形態の窓部５８は、円柱の側面及び底面からなり、光反射部材５９が、底面の中心、窓部５８に囲まれた円柱状の内部空間に設置されている。光反射部材５９は、第２発光素子５６の光軸が中心軸αに対し８５度〜９０度の範囲となるように、第２発光素子５６からの光を反射させる。反射された第２発光素子５６の光は、透明部材で構成された窓部５８を介して、第２照射領域に照射される。
【０１１２】
続いて、第１発光素子５１の発光動作について、図５を基に説明する。第１発光素子５１は、時刻Ｔ１〜Ｔ２では、図５に示すように、第１発光素子５１ａと第１発光素子５１ｅが明状態となり、時刻Ｔ２〜Ｔ３では、第１発光素子５１ｂと第１発光素子５１ｆが明状態となり、時刻Ｔ３〜Ｔ４では、第１発光素子５１ｃと第１発光素子１１ｇが明状態となり、時刻Ｔ４〜Ｔ５では、第１発光素子５１ｄと第１発光素子５１ｈが明状態となる。このように構成することにより、第１照射領域上では、部分照射領域が時計回りに回転しているように見えることとなる。
【０１１３】
一方、第２発光素子５６が発する連続光は、光路変換部材である光反射部材５９に反射されて、遠方の観測者が存在する第２照射領域に向かう。そのため、第２照射領域にいる人は、照明装置１Ｅを、第２発光素子５６からの補助光により連続点灯している光源であると認識し、第１発光素子５１からの主要光の点滅による不快感をほとんど生じない。本実施形態では、各瞬間に第１発光素子５１ａ〜５１ｈの何れかが点灯しているため、第１発光素子５１の全てが暗状態となる全暗期は存在しない。さらに、それに加えて、第２発光素子５６からの補助光によって、本実施形態では、第２照射領域にいる人は、より確実に連続光源として認識できる。
【０１１４】
〈第６実施形態〉
本発明に係る照明装置の第６実施形態について、図９を基に説明する。尚、本実施形態では、上記第１実施形態と同様に、防蛾用照明装置を想定している。
【０１１５】
本発明に係る照明装置の第６実施形態においては、第５実施形態に用いた照明装置１Ｅとハード的に同じものを用いるが、その動作は全く異なる。第１発光素子５１及び第２発光素子５６の照射動作について、発光の時間変化を示すグラフである図１０をもとに説明する。
【０１１６】
本実施形態においては、第１発光素子５１ａ〜５１ｈは、図１０における期間Ｔｂにおいて同期して発光し、期間Ｔｄにおいて同期して消灯する。これは、第５実施形態における任意の時間において第１発光素子５１ａ〜５１ｈの何れかが必ず発光しているのとは異なる動作である。
【０１１７】
ここで、照明装置１Ｅは、第１発光素子５１ａ〜５１ｈから発する主要光は遮光部５２に遮光されるものの、僅かではあるが、第１発光素子５１から第１照射領域に照射された光などが第２照射領域に間接的に照射されることがある。このような場合、第２照射領域にいる人からみて僅かに点滅が知覚される場合がある。従って、本実施形態では、第２発光素子５６は、第２照射領域を直接または間接的に照射する光全体の明るさが、ほぼ一定となるように、第２発光素子５６の発光強度を、期間Ｔｂにおいては弱く、期間Ｔｄにおいては強くなるように発光強度を変化させる。
【０１１８】
図１０（ａ）は、第１発光素子５１の発光動作を示しており、本実施形態では、複数の第１発光素子５１ａ〜５１ｈの全てが時間的に同期した発光動作を行う。図１０（ａ）において、Ｔｂは複数の第１発光素子５１が明状態となる期間であり、Ｔｄは暗状態となる期間を示しており、点滅周期はＴｂ＋Ｔｄで表される。図１０（ｂ）は、第２発光素子５６の発光動作を示している。第２照射領域にいる人から見た第２発光素子の輝度の最大値は、全ての第１発光素子５１を同時に明状態にした場合の第１発光素子５１全体での輝度より、ｏｆｆｓｅｔ分強くなっている。図１０に示すように、第１発光素子５１が明状態の期間は、第２発光素子５６の輝度をｏｆｆｓｅｔ分にし、第１発光素子５１が暗状態の期間は、第２発光素子５６の輝度を最大値にする。即ち、第２照射領域にいる人から見た第１発光素子５１全体の輝度と第２発光素子５６の輝度の合計が、常時同じになるように、発光動作を行っている。尚、ここでは、説明のため、人から見た第１発光素子５１全体の輝度と第２発光素子５６の輝度の合計が同じになる場合について説明したが、完全に一致する必要はなく、点滅による人の不快感を軽減できる範囲で変動しても良い。
【０１１９】
このように構成することにより、本実施形態では、第２照射領域にいる人に対して、第１発光素子５１から間接的に照射される光と第２発光素子５６から直接的に照射される光の全体で、同じ輝度で光が照射されることになる。このため、人には略連続光に見える。
【０１２０】
第６実施形態では、第１発光素子５１ａ〜５１ｈの点滅動作が同期しているため、第１発光素子５１の全てが暗状態となる全暗期が存在する。そのため、照明装置１Ｅが遠方にいる人にとって連続光を発するように見えるためには、第２発光素子５６の光が、遠方にいる人のいる第２照射領域を照射することが必要となる。
【０１２１】
〈第７実施形態〉
本発明に係る照明装置の第７実施形態について、図１１を基に説明する。尚、本実施形態では、上記第１実施形態と同様に、防蛾用照明装置を想定している。
【０１２２】
ここで、本実施形態では、上記第１〜第６実施形態の照明装置１Ａ〜１Ｅが、ＬＥＤ電球型の照明装置であるのに対し、照明装置１Ｆが、直管型のＬＥＤ照明装置である場合について説明する。
【０１２３】
尚、図１１では、説明のため、図１と同様に、照明装置１Ｆの長手方向に垂直な断面において照明装置１Ｆの中心を通る中心軸α方向にＸ軸を設定し、それに直交する方向にＹ軸及びＺ軸を設定している。図１１（ａ）は、本実施形態における照明装置１ＦのＸ軸及びＹ軸を含む断面を示している。図１１（ｂ）は、本実施形態における照明装置１ＦのＸ軸及びＹ軸を含む断面を示している。尚、上記第１実施形態と同様に、中心軸αの方向は、重力方向であるとして説明するが、これに限るものではない。
【０１２４】
照明装置１Ｆは、図１１に示すように、複数の第１発光素子６１を備え、第１照射領域及び第２照射領域に光を照射可能に構成された直管型のＬＥＤ照明装置であり、プラグ３、駆動回路４及び光散乱部６７を備えて構成されている。尚、第１照射領域及び第２照射領域の設定は、上記第１実施形態と同じである、
【０１２５】
主要光を第１照射領域に照射するため、本実施形態では、４８個の第１発光素子６１Ｌ１〜６１Ｌ２４、６１Ｒ１〜６１Ｒ２４、第１発光素子６１を搭載するプリント基板６５と、遮光部６２を備えて構成されている。
【０１２６】
より具体的には、遮光部６２は、図１１に示すように、断面が台形状に形成された四角錐台の側面の１つ、ここでは、頂面の上底に接する面からなる上方遮光部６４と、上方遮光部６４に接する四角錐台の４つの面からなる側方遮光部６３を備えている。遮光部６２の内側は、鏡面或いは白い反射面になっている。尚、不要な反射光及び散乱光を低減するため、一部あるいは全部を黒色面等、反射光及び散乱光を生じさせない構成にしてもよい。また、図１１では、説明のため、上方遮光部６４がＸ軸に垂直となるように、四角錐台の２つの頂面の下底がＹ軸に平行となるように、四角錐台の高さ方向がＺ軸に平行となるように夫々設定している。また、外壁部材２のＺ軸方向の長さ（奥行き）は６０ｃｍとしている。
【０１２７】
ここで、本実施形態では、遮光部６２は外壁部材２としても機能し、頂面の１つにプラグ３が、上方遮光部６４の中央部分に駆動回路４が設けられている。尚、駆動回路４上にはカバーがあり、使用時には駆動回路４を直接視認できない状態となっている。プラグ３は、上記第１実施形態と同様に、商用交流電源（ＡＣ１００Ｖ〜２３０Ｖ、５０Ｈｚ又は６０Ｈｚ）に接続され、駆動回路４に電源を供給する。
【０１２８】
プリント基板６５は、長方形状の平板の基板で構成されており、図１１（ａ）に示すように、四角錐台状の遮光部６２に囲まれた内部空間であって、四角錐台の側面の内、側方遮光部６３を構成する２つの面に設置されている。
【０１２９】
第１発光素子６１は、プリント基板６５上にマトリクス状に配置されている。具体的には、図１１に示すように、一方の面に第１発光素子６１Ｌ１〜６１Ｌ２４がＺ方向に沿って一列に整列配置され、他方の面に第１発光素子６１Ｒ１〜６１Ｒ２４がＺ方向に沿って一列に整列配置されている。更に、第１発光素子６１Ｌ１〜６１Ｌ２４、６１Ｒ１〜６１Ｒ２４の夫々は、本実施形態では、第１照射領域の照射強度のムラ等を考慮し、各第１発光素子６１の光軸方向がＺ軸に対して斜めとなるように設置されている。
【０１３０】
第１発光素子６１は、上記第１実施形態と同様に、放熱性が良好で高輝度を必要とする照明に適した表面実装型ＬＥＤを用いて構成されており、図２に示す色座標（０．４２，０．４８）の光を発する。
【０１３１】
補助光を第２照射領域に照射するため、本実施形態では、第１発光素子６１の発する光の一部を第２照射領域の方向に向ける第１光路変換部材である光散乱部材６７を備えて構成されている。光散乱部材６７は、遮光部６２で囲まれた内部空間の底面を覆う略長方形状の平板の透明部材で構成された窓部６６の中心、遮光部６２に囲まれた略四角錐台状の内部空間の外側に設置されている。尚、窓部６６により遮光部６２は密閉され、第１発光素子を雨等から保護する。光散乱部材６７は、本実施形態では、頂面のＸ軸・Ｙ軸を含む断面形状が凸状の曲面からなる部材である。尚、第１光路変換部材として、光散乱部材６７ではなく、光反射部材を設けても良い。尚、本実施形態では、窓部６６を設け、窓部６６の中心に光散乱部材６７を設ける構成としたが、これに限られるものではない。窓部６６は必ずしも備える必要はなく、光散乱部材６７は、遮光部６２で囲まれた内部空間の外側に設けられていれば良く、窓部６６以外の場所に設けられていても良い。
【０１３２】
次に、照明装置１Ｆにおける光の照射動作について、図１２を基に説明する。
【０１３３】
本実施形態では、駆動回路４の点滅回路４ａにより、複数の第１発光素子６１の内、明状態となる第１発光素子６１の位置と暗状態となる第１発光素子６１の位置で規定される第１明暗パターンと、第１明暗パターンの反転パターンである第２明暗パターンが、時間的に交互に設定される。
【０１３４】
具体的には、例えば、図１２（ａ）に示すように、第１明暗パターンとして、第１発光素子６１Ｒ１〜６１Ｒ２４を明状態に、第１発光素子６１Ｌ１〜６１Ｌ２４を暗状態にするパターンが考えられる。
【０１３５】
また、他の光の照射動作としては、図１２（ｂ）に示すように、第１発光素子６１Ｒ１〜６１Ｒ２４の内、Ｒ以降の添字が奇数の第１発光素子６１Ｒ１、６１Ｒ３、・・・、６１Ｒ２３と、第１発光素子６１Ｌ１〜６１Ｌ２４の内、Ｌ以降の添字が偶数の第１発光素子６１Ｌ２、６１Ｌ４、・・・、６１Ｌ２４を明状態に、他の第１発光素子６１を暗状態にするパターンを第１明暗パターンとして、当該パターンの反転パターンを第２明暗パターンとして用いることが考えられる。
【０１３６】
更に、他の光の照射動作としては、図１２（ｃ）に示すように、第１発光素子６１Ｒ１〜６１Ｒ２４の内、添字が奇数の第１発光素子６１Ｒ１、６１Ｒ３、・・・、６１Ｒ２３と、第１発光素子６１Ｌ１〜６１Ｌ２４の内、添字が奇数の第１発光素子６１Ｌ１、６１Ｌ３、・・・、６１Ｌ２３を明状態に、他の第１発光素子６１を暗状態にするパターンを第１明暗パターンとして、当該パターンの反転パターンを第２明暗パターンとして用いることが考えられる。
【０１３７】
尚、本実施形態では、使用状態において、上記何れの光の照射動作を用いる場合であっても、同一列の（添字が同じ）２つの第１発光素子６１の内の何れか一方が必ず明状態となっている。即ち、同一列の２つの第１発光素子６１Ｒｎ、６１Ｌｎ（Ｌ＝１〜２４）の何れもが暗状態となる全暗期が無い構成（全暗期が０の構成）となっていることから、散乱部材が常に補助光を照射する構成となっており、第２照射領域にいる人は補助光を連続光として知覚できる。尚、全暗期は、０で無くても、人の知覚可能な時間より短く設定すれば、人は連続光として知覚できる。ここで、通常の人は、全暗期が１０ｍｓ以下であれば連続光として知覚でき、相当敏感な人の場合でも、全暗期が５ｍｓ以下であれば連続光として知覚できることから、明暗パターンを切り替える際に、５ｍｓ以下のタイムラグが生じていても良い。
【０１３８】
尚、本実施形態では、第１発光素子６１の数が４８個である場合について説明したが、これに限るものではない。例えば、本実施形態のように、四角錐台の２つの面に対称に第１発光素子６１を配置する場合、偶数個の第１発光素子６１を備えていればよい。この場合には、上記明暗パターンの何れも適用することができるため、好適である。また、１つの側面に複数列の第１発光素子６１を備えていても良い。また、四角錐台の代わりにＺ方向に傾斜を持たせた遮光部をさらに形成し、四角錐台の側面を遮光部とするような構成としてもよい。その場合、プラグ３は、上方向遮光部側で点滅回路４ａ、駆動回路４ｂの近傍に設置する。
【０１３９】
〈第８実施形態〉
本発明に係る照明装置の第８実施形態について、図１６を基に説明する。尚、本実施形態では、上記第１実施形態と同様に、防蛾用照明装置を想定している。
【０１４０】
ここで、本実施形態では、上記第６実施形態の照明装置１Ｅにおける第１発光素子が１個のＬＥＤモジュールであり、第１発光素子及び第２発光素子が青色光を含む光を発光する場合について説明する。
【０１４１】
尚、図１６では、説明のため、図１と同様に、照明装置１Ｇの中心軸αの方向にＸ軸を設定し、それに直交する方向にＹ軸及びＺ軸を設定している。図１６（ａ）は、本実施形態における照明装置１Ｇの中心軸αを含む断面図を、図１６（ｂ）は、照明装置１Ｇの中心軸αの下方向から見た下面図を示している。ただし、図１６（ｂ）においては、配光レンズ７７、第１光路変換部材である光散乱部材７９及び窓部７８の記載を省略している。尚、上記第１実施形態と同様に、中心軸αの方向は、重力方向であるとして説明するが、これに限るものではない。
【０１４２】
照明装置１Ｇは、図１６に示すように、１個のＬＥＤモジュールである第１発光素子７１を備え、第１照射領域に主要光Ｌ１を、第２照射領域に補助光Ｌ２を照射可能に構成されたＬＥＤ電球型の照明装置であり、プラグ３、外壁部材２、駆動回路４を備えて構成されている。第１発光素子７１は、複数個の半導体ＬＥＤチップ７１Ａを１つの基板７１Ｂ上に搭載したものであり、複数個の半導体ＬＥＤチップ７１Ａは外部から印加される駆動電圧に応じて同時に点滅可能である。尚、プラグ３、外壁部材２、駆動回路４の構成は、上記第１実施形態と同じである。また、第１照射領域及び第２照射領域の設定についても、上記第１実施形態と同じである。
【０１４３】
主要光Ｌ１を第１照射領域に限定して照射するため、本実施形態では、第１発光素子７１と、光を広げるための配光レンズ７７と、遮光部７２を備えて構成されている。遮光部７２が取り囲む仮想の内部空間のやや下に位置する窓部７８により遮光部７２は密閉され、第１発光素子７１、第２発光素子７６を雨等から保護する。
【０１４４】
より具体的には、配光レンズ７７は軸αに対して軸対称であり、軸α近傍に配光レンズ凹部７７Ａが設けられ、第１発光素子７１を発し配光レンズ凹部７７Ａに達した光を全反射または一部を反射するようになっている。遮光部７２は、図１６（ｂ）に示すように、円錐台の側面からなる側方遮光部７３と、円錐台の頂面からなる上方遮光部７４を備えている。側方遮光部７３は、第１発光素子７１から発した主要光である点滅光が照明装置１Ｇから中心軸αに直交する方向に放射されないよう遮光する働きを有する。第１発光素子７１及び第２発光素子７６は白色ＬＥＤであり、そのスペクトルは半導体ＬＥＤチップが発する青色と、半導体ＬＥＤチップによって変換された例えば黄色のスペクトルの合成になっている。窓部７８は青色光を遮るフィルタになっているため黄色に見え、第１発光素子７１及び第２発光素子７６が発する光のうち青色光をカットする。
【０１４５】
補助光Ｌ２を第２照射領域に照射するため、本実施形態では、補助光Ｌ２を照射する１つの第２発光素子７６と、第２発光素子７６の発する光の一部を第２照射領域の方向に散乱させる第１光路変換部材である光散乱部材７９を備えて構成されている。尚、本実施形態では、窓部７８を設け、窓部７８の中心に光散乱部材７９を設ける構成としたが、これに限られるものではない。光散乱部材７９は、遮光部７２が取り囲む仮想の内部空間の外側に設けられていれば良く、窓部７８以外の場所に設けられていても良い。
【０１４６】
より詳細には、第２発光素子７６は、側方遮光部７３に、プリント基板７５を介して設置されており、第２発光素子７６が発する光を光散乱部材７９に向けた平行に近いビームとするレンズ７６Ａを備えている。また、本実施形態の窓部７８は、円柱状の側面及び平面からなり、光散乱部材７９が、平面の中心に設置されている。光散乱部材７９は、第２発光素子７６からの光を散乱させる。散乱された第２発光素子７６の光は、黄色フィルタ部材で構成された窓部７８を介して、第２照射領域に補助光Ｌ２として照射される。
【０１４７】
本実施形態において、第１発光素子７１は、上記第６実施形態における第１発光素子５１と同様に発光及び消灯する。即ち、図１０における期間Ｔｂにおいて同期して発光し、期間Ｔｄにおいて同期して消灯する。
【０１４８】
ここで、照明装置１Ｇは、第１発光素子７１から発する主要光は遮光部７２に遮光されるものの、僅かではあるが、第１発光素子７１から第１照射領域に照射された光などが第２照射領域に間接的に照射されることがある。このような場合、第２照射領域にいる人からみて僅かに点滅が知覚される場合がある。従って、本実施形態では、第２発光素子７６は、第２照射領域を直接または間接的に照射する光全体の明るさが、なるべく一定となるように、第２発光素子７６の発光強度を、期間Ｔｂにおいては弱く、期間Ｔｄにおいては強くなるように発光強度を変化させる。
【０１４９】
上記のように本実施形態では、図１０（ａ）は、第１発光素子７１（特に、複数個の半導体ＬＥＤチップ７１Ａ）の発光動作を示すものとして解釈することができる。この場合、図１０（ａ）において、Ｔｂは第１発光素子７１が明状態となる期間、Ｔｄは暗状態となる期間であり、点滅周期はＴｂ＋Ｔｄで表される。同様に、本実施形態において、図１０（ｂ）は、第２発光素子７６の発光動作を示すものとして解釈することができる。第２照射領域にいる人から見た第２発光素子の輝度の最大値は、全ての第１発光素子７１を同時に明状態にした場合の第１発光素子７１全体での輝度より、ｏｆｆｓｅｔ分強くなっている。図１０に示すように、第１発光素子７１が明状態の期間は、第２発光素子７６の輝度をｏｆｆｓｅｔ分にし、第１発光素子７１が暗状態の期間は、第２発光素子７６の輝度を最大値にする。即ち、第２照射領域にいる人から見た第１発光素子７１全体の輝度と第２発光素子７６の輝度の合計が、常時同じになるように、発光動作を行っている。尚、ここでは、説明のため、人から見た第１発光素子７１全体の輝度と第２発光素子７６の輝度の合計が同じになる場合について説明したが、完全に一致する必要はなく、点滅による人の不快感を軽減できる範囲で変動しても良い。
【０１５０】
このように構成することにより、本実施形態では、第２照射領域にいる人に対して、第１発光素子７１から間接的に照射される光と第２発光素子７６から直接的に照射される光の全体で、ほぼ同じ輝度で光が照射されることになる。このため、人には略連続光に見える。
【０１５１】
〈第９実施形態〉
本発明に係る照明装置の第９実施形態について、図１７を基に説明する。尚、本実施形態は、第９実施形態の変形例であるので、第９実施形態と同じ構成要素に対しては同一符号を付している。
【０１５２】
図１７（ａ）は、本実施形態における照明装置１Ｈの中心軸αを含む断面図を、図１７（ｂ）は、照明装置１Ｈの中心軸αの下方向から見た下面図を示している。ただし、図１７（ｂ）においては、配光レンズ７７及び窓部７８の記載を省略している。
【０１５３】
照明装置１Ｈは、図１７（ａ）及び図１７（ｂ）に示すように、補助光Ｌ２を発するため、３個の第２発光素子８６を設け、補助光Ｌ２を第２発光素子８６から第２照射領域に直接照射している。具体的に、本実施形態では、第１光路変換部材を用いるなどして補助光Ｌ２の光路を変換することなく、補助光Ｌ２を第２発光素子８６から第２照射領域に照射している。
【０１５４】
また、照明装置１Ｈは、断面図である図１７（ａ）に示すように、１個のＬＥＤモジュールである第１発光素子７１を備え、第１照射領域に主要光Ｌ１を、第２照射領域に補助光Ｌ２を照射可能に構成されたＬＥＤ電球型の照明装置であり、プラグ３、外壁部材２、駆動回路４を備えて構成されている。
【０１５５】
主要光Ｌ１を第１照射領域に限定して照射するため、本実施形態では、第１発光素子７１と、光を広げるための配光レンズ７７と、遮光部７２を備えて構成されている。遮光部７２が取りかこむ仮想の内部空間のやや下に位置し、内部空間を覆う窓部７８により遮光部７２は密閉され、第１発光素子７１、第２発光素子８６を雨等から保護する。
【０１５６】
第１発光素子７１及び第２発光素子８６は市販の白色ＬＥＤであり、そのスペクトルは半導体ＬＥＤチップが発する青色と、半導体ＬＥＤチップによって変換された例えば黄色のスペクトルの合成になっている。窓部７８は青色光を遮るフィルタになっているため黄色に見え、第１発光素子７１及び第２発光素子７６が発する光のうち青色光をカットする。
【０１５７】
図１７（ａ）に示すように、本実施形態では、補助光Ｌ２を直接第２照射領域に照射するため、３個の第２発光素子８６と、第２発光素子８６の光を第２照射領域に向ける第２発光素子用レンズ８６Ａと、第２発光素子を支持する基板８５を備える。なお、基板８５の代わりに、第２発光素子８６をリードフレームを備えるタイプとし、そのリードフレームを適宜曲げて第２発光素子を支持してもよい。第２発光素子８６の数は３個に限られるものではなく、２個以上８個以下が好ましい。本実施形態では、補助光Ｌ２を直接第２照射領域に照射するため、第１光路変換部材は不要である。
【０１５８】
なお、本実施形態における第１発光素子７１及び第２発光素子８６の動作は、第８実施形態に記載したものと同じであるため、その説明については省略する。
【０１５９】
〈第１０実施形態〉
本実施形態では、第２発光素子として、第１発光素子が発する光によって励起される第２蛍光体を用いる。なお、「発光素子」とは、発光機能を有する素子（部品）を指すものであるから、発光ダイオード等のような電力の供給によって励起して発光するものに限られず、外部から照射される光によって励起して発光する蛍光体も、当然に「発光素子」に含まれる。
【０１６０】
第１０実施形態に係る照明装置１Ｊを図１８に示す。図１８では、照明装置１Ｊの中心軸αの方向にＸ軸を設定し、それに直交する方向にＹ軸及びＺ軸を設定している。図１８（ａ）は、本実施形態における照明装置１Ｊの中心軸αを含む断面図を、図１８（ｂ）は、照明装置１Ｊの中心軸αの下方向から見た下面図を示している。ただし、図１８（ｂ）においては、窓部９８の記載を省略している。尚、上記第１実施形態と同様に、中心軸αの方向は、重力方向であるとして説明するが、これに限るものではない。
【０１６１】
照明装置１Ｊは、図１８（ａ）に示すように、複数の第１発光素子９１を備え、第１照射領域に主要光Ｌ１を照射可能に構成されたＬＥＤ電球型の照明装置であり、プラグ３、外壁部材２、駆動回路４を備えて構成されている。尚、プラグ３、外壁部材２、駆動回路４の構成は、上記第１実施形態と同じである。第１発光素子９１は白色ＬＥＤであり、そのスペクトルは半導体ＬＥＤチップが発する青色と、半導体ＬＥＤチップによって変換された例えば黄色のスペクトルの合成になっている。第２発光素子（第２蛍光体）９６は、第１発光素子９１の発光により励起されて発光する。窓部９８は青色光を遮るフィルタになっているため黄色に見え、第１発光素子９１及び第２発光素子（第２蛍光体）９６が発する光のうち青色光をカットする。
【０１６２】
主要光を第１照射領域に照射するため、本実施形態では、８個の第１発光素子９１ａ〜９１ｈと、第１発光素子９１を搭載するプリント基板５５と、遮光部５２を備えて構成されている。遮光部５２の内部空間の底面を覆う窓部９８により遮光部５２は密閉され、第１発光素子を雨等から保護する。
【０１６３】
補助光Ｌ２を第２照射領域に照射するため、本実施形態では、第１発光素子５１が放射する光のうち特に青色光を受けて発光する蛍光体からなる第２発光素子（第２蛍光体）９６を、窓部９８の内側（第１発光素子に近い側）に配している。第２発光素子（第２蛍光体）９６は、青色光によって励起され、青色光よりも長波長の可視光を発する比較的長残光の蛍光体を含む材料が用いられる。具体的には、２種類の賦活元素を有する蛍光体、その中でもガーネット系蛍光体であるＧｄ３Ｓｃ２−ｘＧａ３＋ｘＯ１２：Ｃｅ３＋，Ｈｆ３＋などを好適に用いることができる。ガーネット蛍光体以外に、アルミネート蛍光体（例えばＳｒＡｌ２Ｏ４；Ｅｕ，Ｄｙ、Ｃａ０．４２Ｓｒ１．５Ａｌ２ＳｉＯ７：Ｃｅ３＋，Ｔｂ３＋）、シリケート蛍光体（例えばＢａ２ＭｇＳｉ２Ｏ７：Ｅｕ２＋，Ｍｎ２＋）なども発光効率及び耐候性に優れ、好適に用いることができる。上記蛍光体の減衰時定数は数時間程度である。このような長残光蛍光体は、例えば第１発光素子の暗期が１０００ｍｓと長くてもその時間中発光するため、事実上連続光源として補助光Ｌ２を発しつづける。比較的長残光の蛍光体としては、減衰時定数が暗期の３倍以上、例えば暗期が８０ｍｓのときに２４０ｍｓ程度以上の蛍光体が好ましい。
【０１６４】
なお、第２発光素子は、第１発光素子からの光に励起されて発光する他、太陽光線によっても励起され発光する。従って減衰時間が例えば１時間以上と長時間の蛍光体を用いる場合は、太陽光線がよく照射される位置に配置することが好ましい。太陽光線は紫外線も含むため、紫外線励起長残光蛍光体、例えばＳｒＡｌ２Ｏ４；Ｅｕ，Ｄｙを好適に用いることができる。尚、太陽光の紫外線を励起光源として用いる場合は、第２発光素子である蛍光体をフィルタ材である窓部の外側に配置することが好ましい。
【０１６５】
本実施形態において、第１発光素子９１は、上記第１実施形態における第１発光素子１１と同様に発光及び消灯する。そこで、本実施形態における第１発光素子の発光動作について、図５を基に説明する。図５に示すように、第１発光素子９１は、時刻Ｔ１〜Ｔ２では、第１発光素子９１ａと第１発光素子９１ｅが明状態となり、時刻Ｔ２〜Ｔ３では、第１発光素子９１ｂと第１発光素子９１ｆが明状態となり、時刻Ｔ３〜Ｔ４では、第１発光素子９１ｃと第１発光素子１１ｇが明状態となり、時刻Ｔ４〜Ｔ５では、第１発光素子９１ｄと第１発光素子９１ｈが明状態となる。このように構成することにより、第１照射領域上では、部分照射領域が時計回りに回転しているように見えることとなる。
【０１６６】
〈別実施形態〉
〈１〉上記第１〜第６、第１０実施形態では、８個の第１発光素子を備える場合について説明したが、これに限るものではない。尚、疑似回転を行うためには、同時に明状態となる第１発光素子の数の整数倍の第１発光素子を備えるようにするのが好ましい。ここで、図１３は、１２個の第１発光素子３１を備える場合について示している。
【０１６７】
〈２〉上記第１〜第６、第１０実施形態では、中心軸αを挟んで対向する位置にある一対の第１発光素子を明状態に、他の第１発光素子を暗状態にする明暗パターンを、時間Ｔｂ毎に、第１発光素子１個分ずつ回転させる場合について説明したが、これに限るものではない。
【０１６８】
ここで、図１４は、明暗パターンの時間変化の例を示しており、説明のため、照明装置１が１２個の第１発光素子を備え、図１３に示すように配置されている場合について示している。
【０１６９】
図１４（ａ）は、１２個の第１発光素子を備える場合において、中心軸αを挟んで対向する位置にある一対の第１発光素子を明状態に、他の第１発光素子を暗状態にする明暗パターンの時間変化を、第１発光素子１個分ずつ回転させる場合について示している。尚、第１発光素子のｍ個分（ｍは、第１発光素子の数が１２個の場合、２以上６以下の整数。）ずつ回転させるように構成しても良い。
【０１７０】
図１４（ｂ）は、１２個の第１発光素子を備える場合において、４個おきに位置する３個の第１発光素子を明状態に、他の第１発光素子を暗状態にする明暗パターンの時間変化を、第１発光素子１個分ずつ回転させる場合について示している。尚、第１発光素子のｍ個分（ｍは、第１発光素子の数が１２個の場合、２以上６以下の整数。）ずつ回転させるように構成しても良い。このように構成した場合、常時、正三角形の頂点に位置する３個の第１発光素子が明状態となる。このため、散乱部材における光強度のムラをより低減できる。
【０１７１】
図１４（ｃ）は、１２個の第１発光素子を備える場合において、３個おきに位置する４個の第１発光素子を明状態に、他の第１発光素子を暗状態にする明暗パターンの時間変化を、第１発光素子１個分ずつ回転させる場合について示している。尚、第１発光素子のｍ個分（ｍは、第１発光素子の数が１２個の場合、２以上６以下の整数。）ずつ回転させるように構成しても良い。
【０１７２】
図１４（ｄ）は、１２個の第１発光素子を備える場合において、隣接する２つの第１発光素子を１つのグループとし、中心軸αを挟んで対向する位置にある一対のグループに属する第１発光素子を明状態に、他の第１発光素子を暗状態にする明暗パターンの時間変化を、第１発光素子２個分ずつ回転させる場合について示している。
【０１７３】
図１４（ｅ）は、図１４（ｄ）に示す明暗パターンの時間変化を、第１発光素子１個分ずつ回転させる場合について示している。
【０１７４】
また、図示しないが、常時第１発光素子の少なくとも何れか１つを明状態にしつつ、明状態とする第１発光素子をランダムに設定する明暗パターンの時間変化であっても良い。
【０１７５】
〈３〉上記第１、第２、第４実施形態では、ＬＥＤ電球型の照明装置１において、窓部が平板状の透明部材で構成され、光散乱部材を備える場合について説明したが、これに限るものではない。例えば、図１５（ａ）に示すように、中央部分が外側に湾曲した窓部の中央、遮光部の内部空間に、光反射部材を設けるように構成しても良いし、図１５（ｂ）に示すように、平板の窓部の中央、遮光部の外部空間側に、光反射部材を設けるように構成しても良い。
【０１７６】
〈４〉上記第１〜第１０実施形態では、第１発光素子として、ＬＥＤを用いた場合を想定して説明したが、これに限るものではなく、ナトリウムランプ等を用いても良い。
【０１７７】
〈５〉上記第１〜第１０実施形態では、第１発光素子そのものが点滅する場合について説明したが、例えば、第１発光素子が、光を反射させるミラーを備える構成とし、当該ミラーを回転させて、回転光による照射を行うように構成しても良い。この場合には、第１発光素子が点滅動作に適しないものであっても、連続点灯させつつ点滅動作の効果を得ることができ、第１発光素子の劣化が低減できる。
【０１７８】
〈６〉上記第１〜第１０実施形態では、第１照射領域に照射される主要光が点滅光である場合について説明したが、例えば、第１発光素子による第１照射領域へ照射する主要光を、色温度が４０００Ｋ〜６５００Ｋの連続光とし、第２発光素子による第２照射領域への補助光を、光散乱が少ない２０００Ｋ〜３５００Ｋの連続光としても良い。
【０１７９】
更に、例えば、第１発光素子による第１照射領域へ照射する主要光を、赤色の連続光とし、第２発光素子による第２照射領域への補助光を、電球色である２０００Ｋ〜３５００Ｋの連続光、或いは、白色である３５００Ｋ〜６５００Ｋの連続光としても良い。赤色光は、キクなどの開花抑制に用いることができるが、その光が周囲に漏れると周囲全体が赤色になり周辺住民に不快感を与えるおそれがある。そこで、白色あるいは電球色の補助光を周囲に向けることにより、周囲に対する影響を低減できる。つまり、主要光とは光の質（色・波長・色温度等）、つまり光のスペクトルが異なる補助光を用いて、主要光の周囲に対する影響を低減することができる。
【０１８０】
このように構成した場合は、例えば、農業用の短日植物の開花調整用光源や、一般用の街路灯としても用いることができる。
【符号の説明】
【０１８１】
１      照明装置
１Ａ    照明装置
１Ｂ    照明装置
１Ｃ    照明装置
１Ｄ    照明装置
１Ｅ    照明装置
１Ｆ    照明装置
１Ｇ    照明装置
１Ｈ    照明装置
１Ｊ    照明装置
２      外壁部材
３      プラグ
４      駆動回路
４ａ    点滅回路
４ｂ    電源回路
１１    第１発光素子
１２    遮光部
１３    側方遮光部
１４    上方遮光部
１５    プリント基板
１６    窓部
１７    光散乱部材（第１光路変換部材）
２１    第１発光素子
２２    遮光部
２３    側方遮光部
２４    上方遮光部
２５    プリント基板
２６    プリズム（第２光路変換部材）
３１    第１発光素子
３２    遮光部
３３    側方遮光部
３４    上方遮光部
３５    プリント基板
３６    レンズ
３７    窓部
３８    光散乱部材（第１光路変換部材）
４１    第１発光素子
４２    遮光部
４３    側方遮光部
４４    上方遮光部
４５    プリント基板
５１    第１発光素子
５２    遮光部
５３    側方遮光部
５４    上方遮光部
５５    プリント基板
５６    第２発光素子
５７    レンズ
５８    窓部
５９    光反射部材（第１光路変換部材）
６１    第１発光素子
６１Ｒ  第１発光素子
６１Ｌ  第１発光素子
６２    遮光部
６３    側方遮光部
６４    上方遮光部
６５    プリント基板
６６    窓部
６７    光散乱部材（第１光路変換部材）
７１    第１発光素子
７１Ａ  ＬＥＤチップ
７１Ｂ  基板
７２    遮光部
７３    側方遮光部
７４    上方遮光部
７５    基板
７６    第２発光素子
７６Ａ  第２発光素子用レンズ
７７    配光レンズ
７７Ａ  配光レンズ凹部
７８    窓部
７９    光散乱部材（第１光路変換部材）
８５    基板
８６    第２発光素子
８６Ａ  第２発光素子用レンズ
８７    レンズ
８８    窓部
Ｌ１    主要光
Ｌ２    補助光
ＡＳ    部分照射領域
Ｈ      人
【図１】
2013054693.tif 000003
【図２】
2013054693.tif 000004
【図３】
2013054693.tif 000005
【図４】
2013054693.tif 000006
【図５】
2013054693.tif 000007
【図６】
2013054693.tif 000008
【図７】
2013054693.tif 000009
【図８】
2013054693.tif 000010
【図９】
2013054693.tif 000011
【図１０】
2013054693.tif 000012
【図１１】
2013054693.tif 000013
【図１２】
2013054693.tif 000014
【図１３】
2013054693.tif 000015
【図１４】
2013054693.tif 000016
【図１５】
2013054693.tif 000017
【図１６】
2013054693.tif 000018
【図１７】
2013054693.tif 000019
【図１８】
2013054693.tif 000020
【手続補正書】
【提出日】平成26年4月8日(2014.4.8)
【手続補正１】
【補正対象書類名】特許請求の範囲
【補正対象項目名】請求項１４
【補正方法】変更
【補正の内容】
【請求項１４】
前記照明装置は、中心軸を備え、
前記第１照射領域が、前記中心軸の下方を含み、
前記第２照射領域が、前記照明装置の中心軸に対して直交する方向を含むことを特徴とする請求項１〜１３の何れか１項に記載の照明装置。
【手続補正２】
【補正対象書類名】明細書
【補正対象項目名】００５０
【補正方法】変更
【補正の内容】
【００５０】
図３は、照明装置１Ａを設置した状態、即ち、外壁部材２の中心軸αを垂直方向Ｘと平行にした場合における照明装置１Ａと部分照射領域ＡＳ１１，ＡＳ１５及び遠方にいる人Ｈとの位置関係について示している。尚、部分照射領域ＡＳ１１は第１発光素子１１ａの発した光が光散乱部１７を介さずに直接照射する領域を、部分照射領域ＡＳ１５は第１発光素子１１ｅを発した光が光散乱部１７を介さずに直接照射する領域を夫々示している。図３に示すように、照明装置１Ａは、その中心軸αが垂直方向Ｘと平行、且つ、第１光路変換部材である光散乱部１７で散乱した光が遠方にいる人Ｈから視認されるように設置されている。
【手続補正３】
【補正対象書類名】図面
【補正対象項目名】図３
【補正方法】変更
【補正の内容】
【図３】
2013054693.tif 000021
【手続補正４】
【補正対象書類名】図面
【補正対象項目名】図１８
【補正方法】変更
【補正の内容】
【図１８】
2013054693.tif 000022
【国際調査報告】
2013054693.tif 000023
2013054693.tif 000024